(57)【要約】【課題】支間長の長大化を図ることを可能とした斜材架設工法を提供する。【解決手段】左右の橋脚間に跨る主桁２を、複数の橋桁ブロック１０による張出し工法により、各橋脚１上に立設した主塔２から、径間の閉合部２１に向けて段階的に連設して構築するとともに、各々の橋桁ブロック１０を、各主塔２から左右に延びる斜材４により吊支してなる斜張吊り架構の斜材架設工法において、径間の閉合部２１における左右の斜材４の一部を、互いに隣設する主桁２上で交叉させて定着することを特徴とする。【選択図】図１
2007262796.tif 000002
【特許請求の範囲】
【請求項１】
左右の橋脚間に跨る主桁を、各橋脚上に立設した主塔から、径間の閉合部に向けて左右に延びる複数本の斜材により吊支する斜張吊り架構の斜材架設構造において、
径間の閉合部における左右の斜材の一部を、互いに隣設する主桁上で交叉させて定着したこと
を特徴とする斜張吊り架構の斜材架設構造。
【請求項２】
左右の橋脚間に跨る主桁を、複数の橋桁ブロックによる張出し工法により、各橋脚上に立設した主塔から、径間の閉合部に向けて段階的に連設して構築するとともに、各々の橋桁ブロックを、各主塔から左右に延びる斜材により吊支してなる斜張吊り架構の斜材架設工法において、
径間の閉合部における左右の斜材の一部を、互いに隣設する主桁上で交叉させて定着すること
を特徴とする斜張吊り架構の斜材架設工法。
【発明の詳細な説明】
【技術分野】
【０００１】
本発明は、例えば斜張橋やエクストラドーズド橋などにおける斜張吊り架構の斜材架設構造及びその斜材架設工法に関する。
【背景技術】
【０００２】
従来、例えば斜張橋においては、図５に示すように、左右の橋脚３１，３１間に跨る主桁３２を、各橋脚３１，３１上に立設した互いに対峙する主塔３３，３３から、径間のほぼ中央部に向けて左右に延びる複数本の斜材（以下、斜張ケーブルという）３４により吊支してなる構成を有するものがある（例えば、特許文献１参照）。
【特許文献１】特開平１−３１２１１０８号公報
【発明の開示】
【発明が解決しようとする課題】
【０００３】
しかしながら、上記従来の斜張橋にあっては、図６に示すように、主桁３２に、斜張ケーブル３４の張力Ｐｃと主桁３２の自重Ｗとにより、大きな圧縮力Ｐｘが主塔３３の基部に向けて働いている。この圧縮力Ｐｘは、主桁３２が長くなるほど増大し、主塔３３の基部に作用することから、主塔３３の破損を招くばかりでなく、橋脚３１，３１間における支間長Ｌの距離が、約３００〜４００ｍの範囲に限界があり、支間長Ｌの長大化を妨げている。
【０００４】
また、その対策としては、主塔３３の耐力を増大させることが考えられるが、これにより、構築費が大幅に高騰するという問題があった。
【０００５】
本発明は、上述した問題点に鑑みて案出されたものであり、その目的とするところは、支間長の長大化を図ることを可能とした斜張吊り架構の斜材架設構造及びその斜材架設工法を提供することにある。
【課題を解決するための手段】
【０００６】
前記の課題を有利に解決するために、第１の発明では、左右の橋脚間に跨る主桁を、各橋脚上に立設した主塔から、径間の閉合部に向けて左右に延びる複数本の斜材により吊支する斜張吊り架構の斜材架設構造において、径間の閉合部における左右の斜材の一部を、互いに隣設する主桁上で交叉させて定着したことを特徴とする。
【０００７】
第２の発明では、左右の橋脚間に跨る主桁を、複数の橋桁ブロックによる張出し工法により、各橋脚上に立設した主塔から、径間の閉合部に向けて段階的に連設して構築するとともに、各々の橋桁ブロックを、各主塔から左右に延びる斜材により吊支してなる斜張吊り架構の斜材架設工法において、径間の閉合部における左右の斜材の一部を、互いに隣設する主桁上で交叉させて定着することを特徴とする。
【発明の効果】
【０００８】
本発明によると、径間のほぼ中央部における左右の斜材の一部を、互いに隣設する主桁上で交叉させて定着してなることから、主塔３の基部に働く圧縮力を低減させることができ、例えば、従来の３００〜４００ｍの支間長の距離を、５００ｍ以上に延ばせるような長大化を図ることができるという効果が得られる。
【発明を実施するための最良の形態】
【０００９】
以下、本発明を実施するための最良の形態として、斜張吊り架構の斜材架設構造について、図面を参照しながら詳細に説明する。
【００１０】
図１は、本発明に係る斜張吊り架構としての斜張橋における斜材架設構造の一実施形態を概略的に示す正面図、図２は、同じく斜張橋の斜材架設工程を示す説明図、図３は、図１のＡ部における主桁への斜材の定着状態を拡大して示す縦断面図である。なお、本実施形態において、図５に示す従来構造と構成が重複する部分は、同一符号を用いて説明する。
【００１１】
本実施形態における斜張橋は、図１に示すように、左右の橋脚１，１間に跨る主桁２を、各橋脚１，１上に立設した互いに対峙する主塔３，３から、径間のほぼ中央部に向けて（径間の閉合部２１に向けて）左右に延びる複数本の斜張ケーブル４により吊支してなる構成を有する。
【００１２】
前記斜張橋は、図２（ａ）〜（ｄ）に示すように、左右の橋脚１，１間に跨る主桁２，２を、複数の橋桁ブロック１０による張出し工法により、各橋脚１，１上に立設した互いに対峙する主塔３，３から、径間のほぼ中央部に向けて段階的に連設して閉合部２１を形成するようにしている。また、各々の橋桁ブロック１０を、各主塔３，３から左右内側に延びる斜張ケーブル４，４により吊支してなるとともに、径間のほぼ中央部において互いに隣接する複数の橋桁ブロック１０，１０にそれぞれ定着される左右の斜張ケーブル４，４を、主桁２，２上で交叉させて、図３に示すように、定着装置５，５にて定着し、左右の斜張ケーブル４，４が左右対称となるように架設することにより構築している。この場合、各主塔３，３から外側に延びる終端側の斜張ケーブル４，４は、アンカレイジ部６，６により定着されるようになっている。
【００１３】
上記の構成によれば、径間のほぼ中央部における左右の斜張ケーブル４，４を、互いに隣設する主桁３，３上で交叉させて定着しているため、図４に示すように、一方の斜張ケーブル４の張力Ｐｃ１と主桁２の自重Ｗとによる圧縮力Ｐｘ１と、他方の斜張ケーブル４の張力Ｐｃ２と主桁２の自重Ｗとによる圧縮力Ｐｘ２とが互いに打ち消し合い、各々の主塔３の基部に働く圧縮力が低減し、支間長Ｌの長大化が図れる。
【００１４】
なお、上記の実施形態においては、主桁３，３から延びる左右の斜張ケーブル４，４を、左右対称となるように架設したが、左右非対称であってもよく、また、複数の径間にも適用することも可能である。
【００１５】
また、上記の実施形態においては、径間のほぼ中央部に向けて左右に延びる複数本の斜張ケーブル４により吊支してなる斜張橋を例に挙げて説明をしたが、かかる構成に限定されるものではない。例えば図５に示すように、互いに高さの異なる主塔３，３から、径間の閉合部２１に向けて左右に延びる複数本の斜張ケーブル４により吊支してなる斜張橋に対しても同様に適用することができる。かかる場合において、この閉合部２１は、主塔の高さの差によって必ずしも径間のほぼ中央部に位置するとは限らず、また左右非対称となる場合もあるが、同様の作用効果を得ることができることは勿論である。
【００１６】
なお、この径間の閉合部２１は、径間のほぼ中央部に位置し、左右対称となる場合も同様の意味として用いることができるのは勿論である。
【図面の簡単な説明】
【００１７】
【図１】本発明に係る斜張吊り架構としての斜張橋における斜材架設構造の一実施形態を概略的に示す正面図である。
【図２】同じく斜張橋の張出し工法を示す説明図である。
【図３】図１のＡ部における斜材の定着状態を示す拡大断面である
【図４】主桁への圧縮力の作用状態を示す説明図である。
【図５】互いに高さの異なる主塔から、径間の閉合部に向けて左右に延びる複数本の斜張ケーブルにより吊支してなる斜張橋への適用例を示す図である。
【図６】従来の斜張橋における斜材架設構造の一実施形態を概略的に示す正面図である。
【図７】同じく主桁への圧縮力の作用状態を示す説明図である。
【符号の説明】
【００１８】
１  橋脚  
２  主桁  
３  主塔
４  斜張ケーブル（斜材）
５  定着装置
６  アンカレイジ部
１０  橋桁ブロック
２１  閉合部
Ｌ  支間長
【図１】
2007262796.tif 000003
【図２】
2007262796.tif 000004
【図３】
2007262796.tif 000005
【図４】
2007262796.tif 000006
【図５】
2007262796.tif 000007
【図６】
2007262796.tif 000008
【図７】
2007262796.tif 000009